(57)【要約】【課題】電池モジュールや負荷装置の不正使用を防止しつつ、使い勝手を向上させる。【解決手段】電池モジュール２に設けられ、第１識別情報を記憶する記憶部２５と、負荷装置１に実装された電子制御装置３に設けられ、第２識別情報を記憶する記憶部１５と、記憶部２５、１５に記憶された各識別情報を読み出す識別情報読み出し部１１、１２と、識別情報読み出し部１１、１２がそれぞれ読み出した各識別情報を比較する比較部１３と、該比較結果が所定の条件を満足する場合に、電池モジュール２の電池２６の電力を負荷装置１の負荷１６に対して供給または遮断する電力切り替え部１４とを備える。記憶部１５、２５の少なくとも一方は、複数の識別情報を記憶している。比較部１３の比較結果が所定の条件を満足しない場合に、複数の識別情報を記憶している方の記憶部１５、２５から別の識別情報を読み出し、再度比較部１３により各識別情報の比較を行う。【選択図】図１
2014082137.tif 000002
【特許請求の範囲】
【請求項１】
電池を有し、負荷装置に対して着脱自在な電池モジュールと、
前記負荷装置に実装され、前記負荷装置が有する負荷に対して前記電池の電力供給を制御する電子制御装置と、
から構成された電池電力制御システムであって、
前記電池モジュールに設けられ、第１識別情報を記憶する第１記憶部と、
前記電子制御装置に設けられ、第２識別情報を記憶する第２記憶部と、
前記第１記憶部に記憶された第１識別情報を読み出す第１読み出し部と、
前記第２記憶部に記憶された第２識別情報を読み出す第２読み出し部と、
前記第１読み出し部と前記第２読み出し部がそれぞれ読み出した前記第１および第２識別情報を比較する比較部と、
前記比較部の比較結果が所定の条件を満足する場合に、前記電池の電力を前記負荷に対して供給または遮断するように切り替わる電力切り替え部と、を備え、
前記第１記憶部と前記第２記憶部の少なくとも一方は、複数の識別情報を記憶し、
前記比較部の比較結果が所定の条件を満足しない場合に、前記第１記憶部と前記第２記憶部のうち、複数の識別情報が記憶されている記憶部から別の識別情報を読み出し、再度前記比較部により前記第１および第２識別情報の比較を行う、ことを特徴とする電池電力制御システム。
【請求項２】
請求項１に記載の電池電力制御システムにおいて、
前記比較部での比較の結果、前記第１および第２識別情報が一致した場合は、前記電力切り替え部を、前記電池の電力を前記負荷に対して供給するように切り替え、
前記比較部での比較の結果、前記第１および第２識別情報が一致しなかった場合は、前記第１記憶部と前記第２記憶部のうち、複数の識別情報が記憶されている記憶部から別の識別情報を読み出し、再度前記比較部により前記第１および第２識別情報の比較を行い、
前記比較部により全ての組み合わせで前記第１および第２識別情報の比較を行っても、当該識別情報が一致しなかった場合は、前記電力切り替え部を、前記電池の電力を前記負荷に対して遮断するように切り替える、ことを特徴とする電池電力制御システム。
【請求項３】
請求項１または請求項２に記載の電池電力制御システムにおいて、
前記第１読み出し部、前記第２読み出し部、および前記比較部を、前記電池モジュールまたは前記電子制御装置に設けた、ことを特徴とする電池電力制御システム。
【請求項４】
負荷装置に対して着脱自在な電池モジュールであって、
電池と、
第１識別情報を記憶する第１記憶部と、
前記第１記憶部に記憶された第１識別情報を読み出す第１読み出し部と、
前記負荷装置に実装された電子制御装置が有する第２記憶部に記憶された第２識別情報を読み出す第２読み出し部と、
前記第１読み出し部と前記第２読み出し部がそれぞれ読み出した前記第１および第２識別情報を比較する比較部と、
前記比較部の比較結果が所定の条件を満足する場合に、前記電池の電力を前記負荷装置が有する負荷に対して供給または遮断するように切り替わる電力切り替え部と、を備え、
前記第１記憶部と前記第２記憶部の少なくとも一方は、複数の識別情報を記憶し、
前記比較部の比較結果が所定の条件を満足しない場合に、前記第１記憶部と前記第２記憶部のうち、複数の識別情報が記憶されている記憶部から別の識別情報を読み出し、再度前記比較部により前記第１および第２識別情報の比較を行う、ことを特徴とする電池モジュール。
【請求項５】
請求項４に記載の電池モジュールにおいて、
前記比較部での比較の結果、前記第１および第２識別情報が一致した場合は、前記電力切り替え部を、前記電池の電力を前記負荷に対して供給するように切り替え、
前記比較部での比較の結果、前記第１および第２識別情報が一致しなかった場合は、前記第１記憶部と前記第２記憶部のうち、複数の識別情報が記憶されている記憶部から別の識別情報を読み出し、再度前記比較部により前記第１および第２識別情報の比較を行い、
前記比較部により全ての組み合わせで前記第１および第２識別情報の比較を行っても、当該識別情報が一致しなかった場合は、前記電力切り替え部を、前記電池の電力を前記負荷に対して遮断するように切り替える、ことを特徴とする電池モジュール。
【請求項６】
負荷を有する負荷装置に実装され、前記負荷装置に対して着脱自在な電池モジュールが有する電池の電力の前記負荷への供給を制御する電子制御装置であって、
前記電池モジュールが有する第１記憶部に記憶された第１識別情報を読み出す第１読み出し部と、
第２識別情報を記憶する第２記憶部と、
前記第２記憶部に記憶された第２識別情報を読み出す第２読み出し部と、
前記第１読み出し部と前記第２読み出し部がそれぞれ読み出した前記第１および第２識別情報を比較する比較部と、
前記比較部の比較結果が所定の条件を満足する場合に、前記電池モジュールが有する電池の電力を前記負荷に対して供給または遮断するように切り替わる電力切り替え部と、を備え、
前記第１記憶部と前記第２記憶部の少なくとも一方は、複数の識別情報を記憶し、
前記比較部の比較結果が所定の条件を満足しない場合に、前記第１記憶部と前記第２記憶部のうち、複数の識別情報が記憶されている記憶部から別の識別情報を読み出し、再度前記比較部により前記第１および第２識別情報の比較を行う、ことを特徴とする電子制御装置。
【請求項７】
請求項６に記載の電子制御装置において、
前記比較部での比較の結果、前記第１および第２識別情報が一致した場合は、前記電力切り替え部を、前記電池の電力を前記負荷に対して供給するように切り替え、
前記比較部での比較の結果、前記第１および第２識別情報が一致しなかった場合は、前記第１記憶部と前記第２記憶部のうち、複数の識別情報が記憶されている記憶部から別の識別情報を読み出し、再度前記比較部により前記第１および第２識別情報の比較を行い、
前記比較部により全ての組み合わせで前記第１および第２識別情報の比較を行っても、当該識別情報が一致しなかった場合は、前記電力切り替え部を、前記電池の電力を前記負荷に対して遮断するように切り替える、ことを特徴とする電子制御装置。
【発明の詳細な説明】
【技術分野】
【０００１】
本発明は、電池モジュールと、電池モジュールが着脱可能な負荷装置に実装される電子制御装置と、これらから構成された電池電力制御システムとに関する。
【背景技術】
【０００２】
たとえば、電気自動二輪車などの負荷装置には、電池を有する電池モジュールが接続されている。電池モジュールは、負荷装置に対して着脱可能であって、充電器により充電される。負荷装置に備わる走行モータなどの負荷は、電池モジュールの電池の電力を消費する。負荷装置には、負荷に対する電池の電力供給を制御する電子制御装置が実装されている。
【０００３】
電池モジュールが負荷装置から取り外されて、盗難された場合に、その後の電池モジュールや負荷装置の不正使用を防止する技術が、特許文献１および特許文献２に開示されている。
【０００４】
特許文献１では、二次電池と二次電池使用機器に個別識別符号を付している。また、充電装置に、充電回路と、個別識別符号認識回路と、充電制御回路とを備えている。個別識別符号認識回路は、二次電池または二次電池使用機器から個別識別符号を検出する。充電制御回路は、個別識別符号認識回路で検出した個別識別符号と、予め記憶された充電可能な二次電池の個別識別符号とを比較し、該比較結果に応じて充電回路を充電状態または停止状態に切り替える。
【０００５】
特許文献２では、管理センタの情報データベースに、車両特定情報とバッテリ特定情報とを関連付けて記憶している。そして、車両においてバッテリを充電する際に、充電装置または車両から、車両特定情報およびバッテリ特定情報を管理センタに送信する。管理センタは、受信した車両特定情報およびバッテリ特定情報を、情報データベースに記憶された車両特定情報およびバッテリ特定情報と比較して、該比較結果に応じて充電許可信号または充電禁止信号を、充電装置または車両に送信する。
【０００６】
特許文献１および特許文献２のように、電池モジュールと負荷装置にそれぞれ識別情報を付しておくと、たとえば、両者の識別情報が一致する場合にのみ、電池から負荷装置に電力を供給できる。このため、盗難された電池モジュールの不正な使用が防止される。
【先行技術文献】
【特許文献】
【０００７】
【特許文献１】特開２００３−２５７４９７号公報
【特許文献２】特開２０１２−２７５９４号公報
【発明の概要】
【発明が解決しようとする課題】
【０００８】
しかし、上記従来の電池電力制御システムでは、電池モジュールや負荷装置を複数所有して、任意の組み合わせで使用することができなくなる。たとえば、電池モジュールを複数所有し、負荷装置で電池モジュールの電池電力を消費する度に、電池モジュールを交換することができなくなる。また、１つの電池モジュールを複数の負荷装置で使い回すこともできなくなる。
【０００９】
本発明の課題は、電池モジュールや負荷装置の不正使用を防止しつつ、使い勝手を向上させることである。
【課題を解決するための手段】
【００１０】
本発明に係る電池電力制御システムは、電池を有し、負荷装置に対して着脱自在な電池モジュールと、負荷装置に実装され、負荷装置が有する負荷に対して電池の電力供給を制御する電子制御装置と、から構成された電池電力制御システムであって、電池モジュールに設けられ、第１識別情報を記憶する第１記憶部と、電子制御装置に設けられ、第２識別情報を記憶する第２記憶部と、第１記憶部に記憶された第１識別情報を読み出す第１読み出し部と、第２記憶部に記憶された第２識別情報を読み出す第２読み出し部と、第１読み出し部と第２読み出し部がそれぞれ読み出した第１および第２識別情報を比較する比較部と、比較部の比較結果が所定の条件を満足する場合に、電池の電力を負荷に対して供給または遮断するように切り替わる電力切り替え部と、を備える。第１記憶部と第２記憶部の少なくとも一方は、複数の識別情報を記憶している。比較部の比較結果が所定の条件を満足しない場合に、第１記憶部と第２記憶部のうち、複数の識別情報が記憶されている記憶部から別の識別情報を読み出し、再度比較部により第１および第２識別情報の比較を行う。
【００１１】
また、本発明に係る電池モジュールは、負荷装置に対して着脱自在な電池モジュールであって、電池と、第１識別情報を記憶する第１記憶部と、第１記憶部に記憶された第１識別情報を読み出す第１読み出し部と、負荷装置に実装された電子制御装置が有する第２記憶部に記憶された第２識別情報を読み出す第２読み出し部と、第１読み出し部と第２読み出し部がそれぞれ読み出した第１および第２識別情報を比較する比較部と、比較部の比較結果が所定の条件を満足する場合に、電池の電力を負荷装置が有する負荷に対して供給または遮断するように切り替わる電力切り替え部と、を備える。第１記憶部と第２記憶部の少なくとも一方は、複数の識別情報を記憶している。比較部の比較結果が所定の条件を満足しない場合に、第１記憶部と第２記憶部のうち、複数の識別情報が記憶されている記憶部から別の識別情報を読み出し、再度比較部により第１および第２識別情報の比較を行う。
【００１２】
また、本発明に係る電子制御装置は、負荷を有する負荷装置に実装され、負荷装置に対して着脱自在な電池モジュールが有する電池の電力の負荷への供給を制御する電子制御装置であって、電池モジュールが有する第１記憶部に記憶された第１識別情報を読み出す第１読み出し部と、第２識別情報を記憶する第２記憶部と、第２記憶部に記憶された第２識別情報を読み出す第２読み出し部と、第１読み出し部と第２読み出し部がそれぞれ読み出した第１および第２識別情報を比較する比較部と、比較部の比較結果が所定の条件を満足する場合に、電池モジュールに含まれる電池の電力を負荷に対して供給または遮断するように切り替わる電力切り替え部と、を備える。第１記憶部と第２記憶部の少なくとも一方は、複数の識別情報を記憶している。比較部の比較結果が所定の条件を満足しない場合に、第１記憶部と第２記憶部のうち、複数の識別情報が記憶されている記憶部から別の識別情報を読み出し、再度比較部により第１および第２識別情報の比較を行う。
【００１３】
上記によると、電池モジュールの第１記憶部と、負荷装置に実装された電子制御装置の第２記憶部に、使用候補の識別情報を予め記憶させておき、該両記憶部の識別情報の比較結果が所定の条件を満足した場合に、電池モジュールの電池電力を負荷装置の負荷に対して供給または遮断する。このため、たとえば盗難されて、使用候補の識別情報が記憶されていない電池モジュールや負荷装置の不正使用を防止することができる。
【００１４】
また、電池モジュールと負荷装置の少なくとも一方を複数所有する場合、それぞれを使用候補として、それぞれの識別情報を電池モジュールの第１記憶部または電子制御装置の第２記憶部に記憶しておく。これにより、使用候補の電池モジュールと負荷装置を任意の組み合わせで接続しても、第１記憶部と第２記憶部にそれぞれ記憶された識別情報の比較が、組み合わせを変えて何度か行われることで、該比較結果が所定の条件を満足する。このため、電池モジュールや負荷装置の使い勝手を向上させることができる。
【００１５】
本発明では、比較部での比較の結果、第１および第２識別情報が一致した場合は、電力切り替え部を、電池の電力を負荷に対して供給するように切り替えてもよい。また、比較部での比較の結果、第１および第２識別情報が一致しなかった場合は、第１記憶部と第２記憶部のうち、複数の識別情報が記憶されている記憶部から別の識別情報を読み出し、再度比較部により第１および第２識別情報の比較を行ってもよい。さらに、比較部により全ての組み合わせで第１および第２識別情報の比較を行っても、当該識別情報が一致しなかった場合は、電力切り替え部を、電池の電力を負荷に対して遮断するように切り替えてもよい。
【００１６】
さらに、本発明では、上記電池電力制御システムにおいて、第１読み出し部、第２読み出し部、および比較部を、電池モジュールまたは電子制御装置に設けてもよい。
【発明の効果】
【００１７】
本発明によれば、電池モジュールや負荷装置の不正使用を防止しつつ、使い勝手を向上させることができる。
【図面の簡単な説明】
【００１８】
【図１】本発明の第１実施形態による電池電力制御システムの構成を示した図である。
【図２】図１の電子制御装置の動作を示したフローチャートである。
【図３】図１の電池モジュールの動作を示したフローチャートである。
【図４】本発明の第２実施形態による電池電力制御システムの構成を示した図である。
【図５】図４の電子制御装置の動作を示したフローチャートである。
【図６】図４の電池モジュールの動作を示したフローチャートである。
【図７】本発明の第３実施形態による電池電力制御システムの構成を示した図である。
【図８】図７の電子制御装置の動作を示したフローチャートである。
【図９】図７の電池モジュールの動作を示したフローチャートである。
【図１０】本発明の第４実施形態による電池電力制御システムの構成を示した図である。
【図１１】図１０の電子制御装置の動作を示したフローチャートである。
【図１２】図１０の電池モジュールの動作を示したフローチャートである。
【図１３】本発明の第５実施形態による電池電力制御システムの構成を示した図である。
【図１４】本発明の第６実施形態による電池電力制御システムの構成を示した図である。
【発明を実施するための形態】
【００１９】
以下、本発明の実施形態につき、図面を参照しながら説明する。各図において、同一の部分または対応する部分には、同一符号を付してある。
【００２０】
まず、第１実施形態の電池電力制御システム１０１の構成を、図１を参照しながら説明する。
【００２１】
電池電力制御システム１０１は、複数の電池モジュール２と、負荷装置１に実装された電子制御装置３とから構成されている。
【００２２】
電池モジュール２は、制御部２０、記憶部２５、および電池２６を備えている。制御部２０は、マイクロコンピュータから成る。記憶部２５は、メモリから成り、１つの識別情報を記憶できる領域を有している。この記憶部２５の領域には、各電池モジュール２の識別情報が予め記憶されている。
【００２３】
具体的には、たとえば電池モジュール２の製造時または購入時に、電池モジュール２ｃの記憶部２５には、「識別情報Ｃ」が記憶される。また、電池モジュール２ｂの記憶部２５には、「識別情報Ｂ」が記憶される。また、電池モジュール２ａの記憶部２５には、「識別情報Ａ」が記憶される。さらに、電池モジュール２ｄの記憶部２５には、「識別情報Ｄ」が記憶される。電池モジュール２の記憶部２５は、本発明における「第１記憶部」の一例であり、記憶部２５に記憶される識別情報Ａ〜Ｄのそれぞれは、本発明における「第１識別情報」の一例である（後述の図７においても同様）。
【００２４】
電池モジュール２の電池２６は、組電池であり、図示しない充電器により充電される。電池モジュール２は、負荷装置１に対して着脱自在になっている。
【００２５】
負荷装置１は、たとえば電気自動二輪車から成り、電子制御装置３、電力切り替え部１４、および負荷１６を備えている。
【００２６】
電池モジュール２を負荷装置１に装着することで、電池モジュール２と電子制御装置３が電気的に接続される。また、電池モジュール２の電池２６と負荷装置１の負荷１６も電気的に接続される。負荷１６は、たとえば走行モータと、該モータの制御回路から成る。
【００２７】
電子制御装置３は、電池モジュール２の電池２６の電力の負荷１６に対する供給を制御する。電子制御装置３には、制御部１０と記憶部１５が備わっている。制御部１０は、マイクロコンピュータから成り、識別情報読み出し部１１、１２と比較部１３を有している。
【００２８】
記憶部１５はメモリから成り、複数の識別情報を記憶できる領域を有している。この記憶部１５の各領域には、使用候補である複数の電池モジュール２ａ、２ｂ、２ｃの識別情報（「識別情報Ａ」、「識別情報Ｂ」、「識別情報Ｃ」）が予め記憶されている。具体的には、たとえば各電池モジュール２ａ、２ｂ、２ｃの購入時に、記憶部１５の各領域に、電池モジュール２ａ、２ｂ、２ｃの識別情報が記憶される。電子制御装置３の記憶部１５は、本発明における「第２記憶部」の一例であり、記憶部１５に記憶される複数の識別情報Ａ〜Ｃは、本発明における「第２識別情報」の一例である（後述の図７、図１３および図１４においても同様）。
【００２９】
電池モジュール２ｄは、たとえば盗難品であって、負荷装置１の使用候補ではない。このため、電子制御装置３の記憶部１５には、電池モジュール２ｄの識別情報（「識別情報Ｄ」）が記憶されていない。
【００３０】
識別情報読み出し部１１は、負荷装置１に接続された電池モジュール２（図１の場合は電池モジュール２ｃ）の、記憶部２５に記憶された識別情報を読み出す。識別情報読み出し部１２は、電子制御装置３の記憶部１５に記憶された識別情報を読み出す。識別情報読み出し部１１は、本発明における「第１読み出し部」の一例であり、識別情報読み出し部１２は、本発明における「第２読み出し部」の一例である（後述の図１０および図１３においても同様）。
【００３１】
比較部１３は、識別情報読み出し部１１、１２がそれぞれ読み出した識別情報を比較する。たとえば、図１で接続状態にある電池モジュール２ｃと負荷装置１のうち、電池モジュール２ｃの記憶部２５に記憶された識別情報（「識別情報Ｃ」）と、電子制御装置３の記憶部１５に記憶された識別情報（「識別情報Ａ」、「識別情報Ｂ」、または「識別情報Ｃ」）とが、比較部１３により比較される。
【００３２】
電力切り替え部１４は、スイッチング素子と、該素子の制御回路から成る。電力切り替え部１４は、接続状態にある電池モジュール２ｃの電池２６から負荷装置１の負荷１６への給電ライン上に設けられている。
【００３３】
電力切り替え部１４は、比較部１３による比較結果が所定の条件を満足する場合に、電池２６の電力を負荷１６に対して供給または遮断するように切り替える。負荷１６は、電池２６の電力が供給されることにより駆動する。
【００３４】
次に、第１実施形態の電子制御装置３と電池モジュール２の動作を、図２および図３を参照しながら説明する。
【００３５】
負荷装置１といずれかの電池モジュール２が接続されて、負荷１６が停止している状態において、利用者が所定の始動操作を行うと、電子制御装置３の制御部１０が負荷１６の始動指示が有ったと判断する（図２のステップＳ１：ＹＥＳ）。そして、接続された電池モジュール２の記憶部２５に記憶された識別情報を、識別情報読み出し部１１により読み出す（ステップＳ２）。
【００３６】
電池モジュール２の制御部２０は、電子制御装置３の識別情報読み出し部１１からの読み出しに応じて、記憶部２５に記憶している識別情報を送信する（図３のステップＳ１２）。
【００３７】
また、電子制御装置３の制御部１０は、記憶部１５に記憶された識別情報を、識別情報読み出し部１２により読み出す（図２のステップＳ３）。このとき、記憶部１５から識別情報を１つだけ読み出して、識別情報読み出し部１２から比較部１３に出力してもよい。または、記憶部１５から識別情報を全て読み出して、そのうち１つの識別情報を比較部１３に出力し、他の識別情報を識別情報読み出し部１２で保持してもよい。
【００３８】
そして、識別情報読み出し部１１により読み出した電池モジュール２の識別情報と、識別情報読み出し部１２により読み出した負荷装置１の識別情報とを、比較部１３により１対１で比較する（ステップＳ４）。
【００３９】
比較部１３での比較の結果、識別情報が一致しなかった場合は（ステップＳ５：ＮＯ）、全ての組み合わせの識別情報の比較が完了したか否かを確認する（ステップＳ７）。このとき、電子制御装置３の記憶部１５に記憶された、未だ比較していない識別情報があれば、全ての組み合わせの識別情報の比較が完了していないと判断する（ステップＳ７：ＮＯ）。そして、比較する識別情報の組み合わせを変更する（ステップＳ９）。つまり、電池モジュール２ａ〜２ｄの識別情報はそのままで、負荷装置１の識別情報を変更する。
【００４０】
ステップＳ３で、電子制御装置３の記憶部１５から識別情報を１つだけ読み出して、識別情報読み出し部１２から比較部１３に出力した場合、ステップＳ９では、記憶部１５から別の識別情報を１つだけ読み出して、識別情報読み出し部１２から比較部１３に出力すればよい。
【００４１】
また、ステップＳ３で、記憶部１５から識別情報を全て読み出して、そのうち１つの識別情報を比較部１３に出力し、別の識別情報を識別情報読み出し部１２で保持している場合、ステップＳ９では、識別情報読み出し部１２から比較部１３に別の識別情報を１つ出力すればよい。
【００４２】
そして、再度比較部１３により、電池モジュール２の識別情報と負荷装置１の識別情報とを１対１で比較する（ステップＳ４）。使用候補の電池モジュール２ａ〜２ｃのいずれかが負荷装置１に接続された場合は、１〜３回目のステップＳ４において、識別情報が一致する（ステップＳ５：ＹＥＳ）。この場合、制御部１０は、電力切り替え部１４をオン（閉状態）に切り替えて、接続された電池モジュール２ａ〜２ｃの電池２６の電力を負荷１６に供給し（ステップＳ６）、負荷１６を始動する（ステップＳ１０）。
【００４３】
一方、使用候補でない電池モジュール２ｄが負荷装置１に接続された場合は、ステップＳ４を３回実行しても、識別情報が一致せず（ステップＳ５：ＮＯ）、全ての組み合わせの識別情報の比較が完了する（ステップＳ７：ＹＥＳ）。この場合、制御部１０は、電力切り替え部１４をオフ（開状態）に切り替えて、接続された電池モジュール２ｄの電池２６の電力を負荷１６に対して遮断し（ステップＳ８）、負荷１６を停止したままにする（ステップＳ１１）。
【００４４】
上記第１実施形態によると、電池モジュール２の記憶部２５に識別情報を予め記憶し、電子制御装置３の記憶部１５に使用候補の複数の電池モジュール２ａ〜２ｃの識別情報を予め記憶している。
【００４５】
このため、たとえば盗難された使用候補でない電池モジュール２ｄが、負荷装置１に接続された場合、電池モジュール２ｄの記憶部２５の識別情報と、電子制御装置３の記憶部１５の識別情報とを、何度組み合わせを変えて比較しても、該識別情報が一致することはない。したがって、電池モジュール２ｄの電池２６の電力が、負荷装置１の負荷１６に対して供給されることもない。よって、使用候補の識別情報が記憶されていない電池モジュール２ｄの負荷装置１での不正使用を防止することができる。
【００４６】
この効果は、たとえば負荷装置１が盗難品であって、該負荷装置１にとって使用候補でない電池モジュール２が接続された場合も同様に得られる。つまり、一致する識別情報を記憶していない電池モジュール２と負荷装置１の不正使用を防止することができる。
【００４７】
また、利用者が複数の電池モジュール２ａ〜２ｃを使用候補として所有して、負荷装置１に任意の組み合わせで接続した場合、電池モジュール２ａ〜２ｃの記憶部２５の識別情報と、電子制御装置３の記憶部１５の識別情報とを、何度か組み合わせを変えて比較することで、該識別情報が一致する。これにより、電池モジュール２ａ〜２ｃの電池２６の電力が、負荷装置１の負荷１６に対して供給される。よって、たとえば、負荷装置１でいずれかの電池モジュール２ａ〜２ｃの電池２６の電力を消費する度に、他の電池モジュール２ａ〜２ｃに交換することができ、複数の電池モジュール２ａ〜２ｃと負荷装置１の使い勝手を向上させることが可能となる。
【００４８】
さらに、識別情報読み出し部１１、１２、および比較部１３を電子制御装置３に設けて、電力切り替え部１４を負荷装置１に設けているので、電池モジュール２の構成を簡単にすることができる。また、電池モジュール２が実行する処理数と、電池モジュール２と電子制御装置３の間の通信数を少なくすることができる。
【００４９】
次に、第２実施形態の電池電力制御システム１０２の構成を、図４を参照しながら説明する。
【００５０】
電池電力制御システム１０２は、複数の負荷装置１にそれぞれ実装された電子制御装置３と、電池モジュール２とから構成されている。
【００５１】
負荷装置１は、電子制御装置３、電力切り替え部１４、および負荷１６を備えている。電子制御装置３は、制御部１０’と記憶部１５’を備えている。制御部１０’は、マイクロコンピュータから成る。記憶部１５’は、メモリから成り、１つの識別情報を記憶できる領域を有している。この記憶部１５’の領域には、各負荷装置１の識別情報が予め記憶されている。
【００５２】
具体的には、たとえば負荷装置１の製造時または購入時に、負荷装置１ｃの電子制御装置３ｃの記憶部１５’には、「識別情報Ｃ」が記憶される。また、負荷装置１ａの電子制御装置３ａの記憶部１５’には、「識別情報Ａ」が記憶される。また、負荷装置１ｂの電子制御装置３ｂの記憶部１５’には、「識別情報Ｂ」が記憶される。さらに、負荷装置１ｄの電子制御装置３ｄの記憶部１５’には、「識別情報Ｄ」が記憶される。電子制御装置３の記憶部１５’は、本発明における「第２記憶部」の一例であり、記憶部１５’に記憶される識別情報Ａ〜Ｄのそれぞれは、本発明における「第２識別情報」の一例である（後述の図１０においても同様）。
【００５３】
電池モジュール２は、制御部２０’、記憶部２５’、および電池２６を備えている。制御部２０’は、マイクロコンピュータから成り、識別情報読み出し部２１、２２と比較部２３を有している。
【００５４】
記憶部２５’は、メモリから成り、複数の識別情報を記憶できる領域を有している。この記憶部２５’の各領域には、使用候補である複数の負荷装置１ａ、１ｂ、１ｃの識別情報（「識別情報Ａ」、「識別情報Ｂ」、「識別情報Ｃ」）が予め記憶されている。具体的には、たとえば各負荷装置１ａ、１ｂ、１ｃの購入時に、記憶部２５’の各領域に、負荷装置１ａ、１ｂ、１ｃの識別情報が記憶される。電池モジュール２の記憶部２５’は、本発明における「第１記憶部」の一例であり、記憶部２５’ に記憶される複数の識別情報Ａ〜Ｃは、本発明における「第１識別情報」の一例である（後述の図１０、図１３および図１４においても同様）。
【００５５】
負荷装置１ｄは、電池モジュール２の使用候補ではない。このため、電池モジュール２の記憶部２５’には、負荷装置１ｄの識別情報（「識別情報Ｄ」）が記憶されていない。
【００５６】
識別情報読み出し部２１は、電池モジュール２の記憶部２５’に記憶された識別情報を読み出す。識別情報読み出し部２２は、電池モジュール２と接続された負荷装置１に実装された電子制御装置３（図４の場合は負荷装置１ｃの電子制御装置３ｃ）の、記憶部１５’ に記憶された識別情報を読み出す。識別情報読み出し部２１は、本発明における「第１読み出し部」の一例であり、識別情報読み出し部２２は、本発明における「第２読み出し部」の一例である（後述の図７および図１４においても同様）。
【００５７】
比較部２３は、識別情報読み出し部２１、２２がそれぞれ読み出した識別情報を比較する。たとえば、図４で接続状態にある電池モジュール２と負荷装置１ｃのうち、電池モジュール２の記憶部２５’に記憶された識別情報（「識別情報Ａ」、「識別情報Ｂ」、または「識別情報Ｃ」）と、負荷装置１ｃの電子制御装置３ｃの記憶部１５’に記憶された識別情報（「識別情報Ｃ」）とが、比較部２３により比較される。
【００５８】
比較部２３の比較結果は、電池モジュール２から、接続された負荷装置１の電子制御装置３に送信される。電力切り替え部１４は、比較部２３による比較結果が所定の条件を満足する場合に、接続された電池モジュール２の電池２６の電力を負荷１６に対して供給または遮断するように切り替える。
【００５９】
次に、第２実施形態の電子制御装置３と電池モジュール２の動作を、図５および図６を参照しながら説明する。
【００６０】
いずれかの負荷装置１において、電池モジュール２が接続されて、負荷１６が停止している状態で、負荷１６の始動指示が有ると（図５のステップＳ１：ＹＥＳ）、該負荷装置１の電子制御装置３の制御部１０’が電池モジュール２に対して識別情報の認証要求信号を送信する（ステップＳ２１）。
【００６１】
電池モジュール２の制御部２０’は、認証要求信号を受信すると（図６のステップＳ３１：ＹＥＳ）、接続された負荷装置１の電子制御装置３の記憶部１５’ に記憶された識別情報を、識別情報読み出し部２２により読み出す（ステップＳ３２）。電子制御装置３の制御部１０’は、電池モジュール２の識別情報読み出し部２２からの読み出しに応じて、記憶部１５’に記憶している識別情報を送信する（図５のステップＳ２２）。
【００６２】
また、電池モジュール２の制御部２０’は、記憶部２５’ に記憶された識別情報を、識別情報読み出し部２１により読み出す（図６のステップＳ３３）。このとき、記憶部２５’から識別情報を１つだけ読み出して、識別情報読み出し部２１から比較部２３に出力してもよい。または、記憶部２５’から識別情報を全て読み出して、そのうち１つの識別情報を比較部２３に出力し、他の識別情報を識別情報読み出し部２１で保持してもよい。
【００６３】
そして、識別情報読み出し部２１により読み出した電池モジュール２の識別情報と、識別情報読み出し部２２により読み出した負荷装置１の識別情報とを、比較部２３により１対１で比較する（ステップＳ３４）。
【００６４】
比較部２３での比較の結果、識別情報が一致しなかった場合は（ステップＳ３５：ＮＯ）、全ての組み合わせの識別情報の比較が完了したか否かを確認する（ステップＳ３７）。このとき、電池モジュール２の記憶部２５’に記憶された、未だ比較していない識別情報があれば、全ての組み合わせの識別情報の比較が完了していないと判断する（ステップＳ３７：ＮＯ）。そして、比較する識別情報の組み合わせを変更する（ステップＳ３９）。つまり、負荷装置１の識別情報はそのままで、電池モジュール２の識別情報を変更する。
【００６５】
ステップＳ３３で、電池モジュール２の記憶部２５’から識別情報を１つだけ読み出して、識別情報読み出し部２１から比較部２３に出力した場合、ステップＳ３９では、記憶部２５’から別の識別情報を１つだけ読み出して、識別情報読み出し部２１から比較部２３に出力すればよい。
【００６６】
また、ステップＳ３３で、記憶部２５’から識別情報を全て読み出して、そのうち１つの識別情報を比較部２３に出力し、別の識別情報を識別情報読み出し部２１で保持している場合、ステップＳ３９では、識別情報読み出し部２１から比較部２３に別の識別情報を１つ出力すればよい。
【００６７】
そして、再度比較部２３により、電池モジュール２の識別情報と負荷装置１の識別情報とを１対１で比較する（ステップＳ３４）。電池モジュール２が使用候補の負荷装置１ａ〜１ｃのいずれかに接続された場合は、１〜３回目のステップＳ３４において、識別情報が一致する（ステップＳ３５：ＹＥＳ）。
【００６８】
この場合、電池モジュール２の制御部２０’は、接続された負荷装置１ａ〜１ｃの電子制御装置３ａ〜３ｃへ、認証結果として識別情報が一致した旨を送信する（ステップＳ３６）。電子制御装置３ａ〜３ｃの制御部１０’は、電池モジュール２から認証結果を受信すると（図５のステップＳ２３：ＹＥＳ）、内容を確認する。そして、認証結果が識別情報の一致を示していれば（ステップＳ２４：ＹＥＳ）、電力切り替え部１４をオンに切り替えて、接続された電池モジュール２の電池２６の電力を負荷１６に供給し（ステップＳ６）、負荷１６を始動させる（ステップＳ１０）。
【００６９】
一方、電池モジュール２が使用候補でない負荷装置１ｄに接続された場合は、ステップＳ３４を３回実行しても、識別情報が一致せず（ステップＳ３５：ＮＯ）、全ての組み合わせの識別情報の比較が完了する（ステップＳ３７：ＹＥＳ）。
【００７０】
この場合、電池モジュール２の制御部２０’は負荷装置１ｄの電子制御装置３ｄへ、認証結果として識別情報が一致しなかった旨を送信する（ステップＳ３８）。電子制御装置３ｄの制御部１０’ は、電池モジュール２から認証結果を受信すると（図５のステップＳ２３：ＹＥＳ）、内容を確認する。そして、認証結果が識別情報の一致を示していなければ（ステップＳ２４：ＮＯ）、電力切り替え部１４をオフに切り替えて、電池モジュール２の電池２６の電力を負荷１６に対して遮断し（ステップＳ８）、負荷１６を停止したままにする（ステップＳ１１）。
【００７１】
上記第２実施形態によると、電子制御装置３の記憶部１５’に識別情報を予め記憶し、電池モジュール２の記憶部２５’に使用候補の複数の負荷装置１ａ〜１ｃの識別情報を予め記憶している。
【００７２】
このため、たとえば盗難された使用候補でない負荷装置１ｄに、電池モジュール２が接続された場合、電池モジュール２の記憶部２５’の識別情報と、電子制御装置３ｄの記憶部１５’の識別情報とを、何度組み合わせを変えて比較しても、該識別情報が一致することはない。したがって、電池モジュール２の電池２６の電力が、負荷装置１ｄの負荷１６に対して供給されることもない。よって、使用候補の識別情報が記憶されていない電池モジュール２ｄの不正使用を防止することができる。
【００７３】
この効果は、たとえば電池モジュール２が盗難品であって、該電池モジュール２にとって使用候補でない負荷装置１が接続された場合も同様に得られる。つまり、一致する識別情報を記憶していない電池モジュール２と負荷装置１の不正使用を防止することができる。
【００７４】
また、利用者が複数の負荷装置１ａ〜１ｃを使用候補として所有して、電池モジュール２に任意の組み合わせで接続した場合、電池モジュール２の記憶部２５’の識別情報と、電子制御装置３ａ〜３ｃの記憶部１５’の識別情報とを、何度か組み合わせを変えて比較することで、該識別情報が一致する。これにより、電池モジュール２の電池２６の電力が、負荷装置１ａ〜１ｃの負荷１６に対して供給される。よって、たとえば、１つの電池モジュール２を複数の負荷装置１ａ〜１ｃで使い回すことができ、電池モジュール２と複数の負荷装置１ａ〜１ｃの使い勝手を向上させることが可能となる。
【００７５】
次に、第３実施形態の電池電力制御システム１０３の構成を、図７を参照しながら説明する。
【００７６】
この電池電力制御システム１０３では、記憶部２５に１つの識別情報を記憶した電池モジュール２に、識別情報読み出し部２１、２２、比較部２３、および電力切り替え部２４を設けている。
【００７７】
詳しくは、電池モジュール２の制御部２０’に、識別情報読み出し部２１、２２と比較部２３が設けられている。電力切り替え部２４は、スイッチング素子と、該素子の制御回路から成り、電池２６から負荷装置１の負荷１６への給電ライン上に設けられている。比較部２３の比較結果が所定の条件を満足する場合に、電力切り替え部２４は、電池２６の電力を接続された負荷装置１の負荷１６に対して供給または遮断するように切り替える。
【００７８】
次に、第３実施形態の電子制御装置３と電池モジュール２の動作を、図８および図９を参照しながら説明する。
【００７９】
電池モジュール２と負荷装置１が接続されて、負荷１６が停止している状態で、負荷１６の始動指示が有ると（図８のステップＳ１：ＹＥＳ）、負荷装置１に実装された電子制御装置３の制御部１０’が電池モジュール２に対して識別情報の認証要求信号を送信する（ステップＳ２１）。
【００８０】
電池モジュール２の制御部２０’は、認証要求信号を受信すると（図９のステップＳ３１：ＹＥＳ）、接続された負荷装置１の電子制御装置３の記憶部１５から識別情報を、識別情報読み出し部２２により読み出す（ステップＳ３２ａ）。電子制御装置３の制御部１０’は、識別情報読み出し部２２からの読み出しに応じて、記憶部１５に記憶している識別情報を送信する（図８のステップＳ２２ａ）。
【００８１】
このとき、記憶部１５から識別情報を１つだけ読み出して、識別情報読み出し部２２から比較部２３に出力してもよい。または、記憶部１５から識別情報を全て読み出して、そのうち１つの識別情報を比較部２３に出力し、他の識別情報を識別情報読み出し部２２で保持してもよい。
【００８２】
また、電池モジュール２の制御部２０’は、識別情報読み出し部２１により、記憶部２５に記憶された識別情報を読み出す（図９のステップＳ３３ａ）。そして、識別情報読み出し部２１により読み出した電池モジュール２の識別情報と、識別情報読み出し部２２により読み出した負荷装置１の識別情報を、比較部２３により１対１で比較する（ステップＳ３４）。
【００８３】
比較部２３での比較の結果、識別情報が一致しなかった場合は（ステップＳ３５：ＮＯ）、全ての組み合わせの識別情報の比較が完了したか否かを確認する（ステップＳ３７ａ）。このとき、電子制御装置３の記憶部１５に記憶された、未だ比較していない識別情報があれば、全ての組み合わせの識別情報の比較が完了していないと判断する（ステップＳ３７ａ：ＮＯ）。そして、比較する識別情報の組み合わせを変更する（ステップＳ３９ａ）。つまり、電池モジュール２の識別情報はそのままで、負荷装置１の識別情報を変更する。
【００８４】
ステップＳ３３ａで、電子制御装置３の記憶部１５から識別情報を１つだけ読み出して、識別情報読み出し部２２から比較部２３に出力した場合、ステップＳ３９ａでは、記憶部１５から別の識別情報を１つだけ読み出して、識別情報読み出し部２２から比較部２３に出力すればよい。
【００８５】
また、ステップＳ３３ａで、記憶部１５から識別情報を全て読み出して、そのうち１つの識別情報を比較部２３に出力し、別の識別情報を識別情報読み出し部２２で保持している場合、ステップＳ３９ａでは、識別情報読み出し部２２から比較部２３に別の識別情報を１つ出力すればよい。
【００８６】
そして、再度比較部２３により、電池モジュール２の識別情報と負荷装置１の識別情報とを、１対１で比較する（ステップＳ３４）。使用候補の電池モジュール２が負荷装置１に接続された場合は、何回目かのステップＳ３４において、識別情報が一致する（ステップＳ３５：ＹＥＳ）。
【００８７】
この場合、電池モジュール２の制御部２０’は負荷装置１の電子制御装置３へ、認証結果として識別情報が一致した旨を送信する（ステップＳ３６）。また、電力切り替え部２４をオンに切り替えて、電池２６の電力を負荷１６に供給する（ステップＳ４０）。電子制御装置３の制御部１０’は、電池モジュール２から認証結果を受信すると（図８のステップＳ２３：ＹＥＳ）、内容を確認する。そして、認証結果が識別情報の一致を示していれば（ステップＳ２４：ＹＥＳ）、電池２６から供給される電力で負荷１６を始動させる（ステップＳ１０）。
【００８８】
一方、使用候補でない電池モジュール２が負荷装置１に接続された場合は、図９のステップＳ３４を何回実行しても、識別情報が一致せず（ステップＳ３５：ＮＯ）、全ての組み合わせの識別情報の比較が完了する（ステップＳ３７ａ：ＹＥＳ）。
【００８９】
この場合、電池モジュール２の制御部２０’は負荷装置１の電子制御装置３へ、認証結果として識別情報が一致しなかった旨を送信する（ステップＳ３８）。また、電力切り替え部１４をオフに切り替えて、電池２６の電力を負荷１６に対して遮断する（ステップＳ４１）。電子制御装置３の制御部１０’ は、電池モジュール２から認証結果を受信すると（図８のステップＳ２３：ＹＥＳ）、内容を確認する。そして、認証結果が識別情報の一致を示していなければ（ステップＳ２４：ＮＯ）、負荷１６を停止したままにする（ステップＳ１１）。
【００９０】
上記第３実施形態によると、一致する識別情報を記憶していない電池モジュール２と負荷装置１の不正使用を防止することができる。また、電池モジュール２を複数所持した場合の使い勝手を向上させることが可能となる。
【００９１】
さらに、識別情報読み出し部２１、２２、比較部２３、および電力切り替え部２４を電池モジュール２に設けているので、負荷装置１および電子制御装置３の構成を簡単にすることができる。また、電子制御装置３が実行する処理数と、電池モジュール２と電子制御装置３の間の通信数を少なくすることができる。
【００９２】
次に、第４実施形態の電池電力制御システム１０４の構成を、図１０を参照しながら説明する。
【００９３】
この電池電力制御システム１０４では、記憶部１５’に１つの識別情報を記憶した電子制御装置３の制御部１０に、識別情報読み出し部１１、１２と比較部１３を設けている。また、電池モジュール２に、電力切り替え部２４を設けている。
【００９４】
次に、第４実施形態の電子制御装置３と電池モジュール２の動作を、図１１および図１２を参照しながら説明する。
【００９５】
電池モジュール２と負荷装置１が接続されて、負荷１６が停止している状態で、負荷１６の始動指示が有ると（図１１のステップＳ１：ＹＥＳ）、負荷装置１に実装された電子制御装置３の制御部１０は、電池モジュール２の記憶部２５’に記憶された識別情報を、識別情報読み出し部１１により読み出す（ステップＳ２ａ）。電池モジュール２の制御部２０は、識別情報読み出し部１１からの読み出しに応じて、記憶部２５’に記憶している識別情報を送信する（図１２のステップＳ１２ａ）。
【００９６】
このとき、記憶部２５’から識別情報を１つだけ読み出して、識別情報読み出し部１１から比較部１３に出力してもよい。または、記憶部２５’から識別情報を全て読み出して、そのうち１つの識別情報を比較部１３に出力し、他の識別情報を識別情報読み出し部１１で保持してもよい。
【００９７】
また、電子制御装置３の制御部１０は、記憶部１５’ に記憶された識別情報を、識別情報読み出し部１２により読み出す（図１１のステップＳ３ａ）。そして、識別情報読み出し部１１により読み出した電池モジュール２の識別情報と、識別情報読み出し部１２により読み出した負荷装置１の識別情報とを、比較部１３により１対１で比較する（ステップＳ４）。
【００９８】
比較部１３での比較の結果、識別情報が一致しなかった場合は（ステップＳ５：ＮＯ）、全ての組み合わせの識別情報の比較が完了したか否かを確認する（ステップＳ７ａ）。このとき、電池モジュール２の記憶部２５’に記憶された、未だ比較していない識別情報があれば、全ての組み合わせの識別情報の比較が完了していないと判断する（ステップＳ７ａ：ＮＯ）。そして、比較する識別情報の組み合わせを変更する（ステップＳ９ａ）。つまり、負荷装置１の識別情報はそのままで、電池モジュール２の識別情報を変更する。
【００９９】
ステップＳ３ａで、電池モジュール２の記憶部２５’から識別情報を１つだけ読み出して、識別情報読み出し部１１から比較部１３に出力した場合、ステップＳ９ａでは、記憶部２５’から別の識別情報を１つだけ読み出して、識別情報読み出し部１１から比較部１３に出力すればよい。
【０１００】
また、ステップＳ３ａで、記憶部２５’から識別情報を全て読み出して、そのうち１つの識別情報を比較部１３に出力し、別の識別情報を識別情報読み出し部１１で保持している場合、ステップＳ９ａでは、識別情報読み出し部１１から比較部１３に別の識別情報を１つ出力すればよい。
【０１０１】
そして、再度比較部１３により、電池モジュール２の識別情報と負荷装置１の識別情報とを１対１で比較する（ステップＳ４）。使用候補の電池モジュール２が負荷装置１に接続された場合は、何回目かのステップＳ４において、識別情報が一致する（ステップＳ５：ＹＥＳ）。
【０１０２】
この場合、電子制御装置３の制御部１０は、電池モジュール２へ識別情報の比較結果として一致した旨を送信する（ステップＳ１３）。電池モジュール２の制御部２０は、電子制御装置３から識別情報の比較結果を受信すると（図１２のステップＳ１５：ＹＥＳ）、内容を確認する。そして、比較結果が識別情報の一致を示していれば（ステップＳ１６：ＹＥＳ）、電力切り替え部２４をオンに切り替えて、電池２６の電力を負荷１６に供給する（ステップＳ１７）。すると、電子制御装置３の制御部１０が、電池２６の電力により負荷１６を始動させる（図１１のステップＳ１０）。
【０１０３】
一方、使用候補でない電池モジュール２が負荷装置１に接続された場合は、ステップＳ４を何回実行しても、識別情報が一致せず（ステップＳ５：ＮＯ）、全ての組み合わせの識別情報の比較が完了する（ステップＳ７ａ：ＹＥＳ）。
【０１０４】
この場合、電子制御装置３の制御部１０は、電池モジュール２へ識別情報の比較結果として一致しなかった旨を送信する（ステップＳ１４）。電池モジュール２の制御部２０は、電子制御装置３から識別情報の比較結果を受信すると（図１２のステップＳ１５：ＹＥＳ）、内容を確認する。そして、比較結果が識別情報の一致を示していなければ（ステップＳ１６：ＮＯ）、電力切り替え部２４をオフに切り替えて、電池２６の電力を負荷１６に対して遮断する（ステップＳ１８）。このため、電子制御装置３の制御部１０が、負荷１６を停止したままにする（図１１のステップＳ１１）。
【０１０５】
上記第４実施形態によると、一致する識別情報を記憶していない電池モジュール２と負荷装置１の不正使用を防止することができる。また、負荷装置１を複数所持した場合の使い勝手を向上させることが可能となる。
【０１０６】
本発明は、上述した以外にも種々の実施形態を採用することができる。たとえば、以上の実施形態では、電子制御装置３と電池モジュール２のいずれか一方に、複数の識別情報を記憶可能な領域を有する記憶部１５、２５’を設けた例を示したが、本発明はこれのみに限定するものではない。これ以外に、たとえば、図１３の第５実施形態や図１４の第６実施形態に示すように、電子制御装置３と電池モジュール２の両方に、複数の識別情報を記憶可能な領域を有する記憶部１５、２５’を設けてもよい。
【０１０７】
この場合、電子制御装置３と電池モジュール２のいずれかに、各記憶部１５、２５’から識別情報を読み出す識別情報読み出し部１１、１２、２１、２２と、比較部１３、２３を設ければよい。また、電子制御装置３と電池モジュール２のうち、一方に識別情報読み出し部と比較部を全て設けてもよいし、一方に識別情報読み出し部を設け、他方に比較部を設けてもよい。電力切り替え部１４、２４は、負荷装置１、電池モジュール２、または電子制御装置３に設ければよい。
【０１０８】
そして、記憶部１５から読み出した負荷装置１の識別情報と、記憶部２５’から読み出した電池モジュール２の識別情報を、比較部１３、２３により１対１で比較する。比較の結果、識別情報が一致しなければ、負荷装置１の識別情報または電池モジュール２の識別情報を変更することにより、比較する識別情報の組み合わせを変えて、再度識別情報の比較を行えばよい。
【０１０９】
また、以上の実施形態では、電気自動二輪車から成る負荷装置１に実装された電子制御装置３と、負荷装置１に対して着脱自在な電池モジュール２から成る電池電力制御システム１０１〜１０６に、本発明を適用した例を挙げが、これに限るものではない。これ以外の車両用や電子機器用などの電子制御装置および電池モジュールと、これらから構成される電池電力制御システムに対しても、本発明を適用することは可能である。
【符号の説明】
【０１１０】
１、１ａ、１ｂ、１ｃ、１ｄ  負荷装置
２、２ａ、２ｂ、２ｃ、２ｄ  電池モジュール
３、３ａ、３ｂ、３ｃ、３ｄ  電子制御装置
１１  識別情報読み出し部
１２  識別情報読み出し部
１３  比較部
１４  電力切り替え部
１５、１５’  記憶部
１６  負荷
２１  識別情報読み出し部
２２  識別情報読み出し部
２３  比較部
２４  電力切り替え部
２５、２５’  記憶部
２６  電池
１０１、１０２、１０３、１０４、１０５、１０６  電池電力制御システム
【図１】
2014082137.tif 000003
【図２】
2014082137.tif 000004
【図３】
2014082137.tif 000005
【図４】
2014082137.tif 000006
【図５】
2014082137.tif 000007
【図６】
2014082137.tif 000008
【図７】
2014082137.tif 000009
【図８】
2014082137.tif 000010
【図９】
2014082137.tif 000011
【図１０】
2014082137.tif 000012
【図１１】
2014082137.tif 000013
【図１２】
2014082137.tif 000014
【図１３】
2014082137.tif 000015
【図１４】
2014082137.tif 000016